(57)【要約】【課題】  収納物の表面にキャップフィルムの押圧した痕跡が残存しないようにするとともに、外部から収納物が視認困難となるように隠蔽性に優れており、かつ、表面に筆記や印刷が可能な紙材付き積層気泡シート及び収納袋を提供する。【解決手段】  中空状に膨出する多数の気泡を有したシート本体２と、このシート本体２の片面又は両面に積層された鉱物粉末含有紙３とを備え、この鉱物粉末含有紙３が、鉱物の粉末を主成分とし、合成樹脂を含有して形成された紙である。【選択図】    図１
2014073633.tif 000002
【特許請求の範囲】
【請求項１】
中空状に膨出する多数の気泡を有したシート本体と、
このシート本体の片面又は両面に積層された鉱物粉末含有紙とを備え、
この鉱物粉末含有紙が、鉱物の粉末を主成分とし、合成樹脂を含有して形成された紙である
ことを特徴とする紙材付き積層気泡シート。
【請求項２】
前記鉱物の粉末が、炭酸カルシウムである
ことを特徴とする請求項１記載の紙材付き積層気泡シート。
【請求項３】
前記シート本体が、中空状に膨出する多数のキャップを有したキャップフィルムと、このキャップフィルムのキャップ開口側に積層されるバックフィルムとを備える二層の積層気泡シートからなり、
前記鉱物粉末含有紙が、前記二層の積層気泡シートの片面又は両面に積層された
ことを特徴とする請求項１又は２記載の紙材付き積層気泡シート。
【請求項４】
前記シート本体が、中空状に膨出する多数のキャップを有したキャップフィルムと、このキャップフィルムのキャップ開口側に積層されるバックフィルムと、前記キャップフィルムのキャップ膨出側に積層されるライナーフィルムとを備える三層の積層気泡シートからなり、
前記鉱物粉末含有紙が、前記三層の積層気泡シートの片面又は両面に積層された
ことを特徴とする請求項１又は２記載の紙材付き積層気泡シート。
【請求項５】
袋状に形成された収納袋であって、
前記収納袋が、前記請求項１〜４のいずれかに記載の紙材付き積層気泡シートを用いて形成された
ことを特徴とする収納袋。
【請求項６】
片面にのみ鉱物粉末含有紙が積層された前記紙材付き積層気泡シートを用いて、前記収納袋が形成されており、
前記収納袋の外側面又は内側面の一方に、前記鉱物粉末含有紙が積層されている
ことを特徴とする請求項５記載の収納袋。
【請求項７】
両面に鉱物粉末含有紙が積層された前記紙材付き積層気泡シートを用いて、前記収納袋が形成されており、
前記収納袋の外側面と内側面の両方に、前記鉱物粉末含有紙が積層されている
ことを特徴とする請求項５記載の収納袋。
【発明の詳細な説明】
【技術分野】
【０００１】
本発明は、独立した多数の気泡を有する積層気泡シートの表面に、鉱物の粉末を主成分とする紙材が積層された紙材付き積層気泡シート、及び、この紙材付き積層気泡シートを用いて形成された収納袋に関する。
【背景技術】
【０００２】
積層気泡シートとは、ポリエチレンフィルムからなるシート材に、中空状に膨出する多数の気泡を形成したもので、多数の気泡の緩衝作用によるクッション性（耐衝撃性）を有するシート材として、緩衝材や包装材として様々な分野で用いられている。
ここで、積層気泡シートには、通常、二層気泡シートと三層気泡シートとがある。二層気泡シートは、中空状に膨出する多数のキャップが形成されたキャップフィルムと、このキャップフィルムのキャップ開口側に積層されるバックフィルムとを備えた二層からなる気泡シートであり、三層気泡シートは、二層気泡シートのキャップフィルムのキャップ膨出側に更にライナーフィルムを積層した三層からなる気泡シートで、いずれも、キャップフィルムとバックフィルムにより形成される中空状の多数の気泡による良好なクッション性（耐衝撃性）を有しており、包装材・緩衝材等として広く用いられている。
【０００３】
そして、最近では、このような積層気泡シートの優れた耐衝撃性や、軽量で柔軟性に富み、折り畳みや切断・加工等も容易な材質特性等から、積層気泡シートがそのまま包装材等として使用される他、積層気泡シートを袋状・封筒状等に加工・成形して物品収納用の袋・容器として用いられることがある。
積層気泡シートを袋状・封筒状に形成した収納袋では、袋内に収納された物品は全体が積層気泡シートによって覆われた状態となるので、落下や外部からの衝撃等から有効に保護され、収納物品の破損等が確実に防止されるという安全性・信頼性に優れることに加えて、積層気泡シートからなる袋内に対象物品等をそのまま収納するだけで包装・梱包を完了でき、煩雑な包装作業や梱包作業等が不要となるという便利さ・手軽さ等もあり、安全性と利便性の両面に優れた袋材として活用が期待されている。
【０００４】
この種の積層気泡シートを用いた収納袋としては、例えば、特許文献１に提案されている「気泡シートからなる、印刷が施された、曲線形状の溶着面を有する、又は縫製によって成形された製品」がある。
この特許文献１に記載された製品は、積層気泡シートの表面に、エチレン系共重合体を主成分とする機能層を積層したものである。
このような構造を有する製品は、機能層の表面に所望の文字や絵柄などを印刷することができるもので、様々なデザインを印刷して、装飾性の高い製品を提供できるようになっている。
【先行技術文献】
【特許文献】
【０００５】
【特許文献１】特許第４８４９６４９号
【発明の概要】
【発明が解決しようとする課題】
【０００６】
しかしながら、積層気泡シートを用いて形成された収納袋においては、次のような状況があった。
積層気泡シートには、上述したように二層気泡シートと三層気泡シートがあるが、二層気泡シートを用いて収納袋を形成した場合において、キャップフィルムのキャップ膨出側が収納袋の内側に向いているとき、当該収納袋に収納された収納物の表面に、キャップの押圧された丸い痕跡が残ることがあった。
ここで、そのような丸い痕跡が残る理由としては、例えば、キャップフィルムの材料として低密度ポリエチレンが使用され、この低密度ポリエチレンの低分子量分がブリードアウトするためであると考えられる。
そこで、このような材料でキャップフィルムが形成されている場合でも、収納物の表面に丸い痕跡が残らないようにするための技術の提案が求められていた。
【０００７】
また、その収納袋に収納される収納物の中には、個人情報等の重要な情報が表面に記載されているためにその情報の漏洩を防止したいものや、あるいは、他人に見られると困るもの、開封するまでは秘密の状態にしておきたいものなどがある。
ところが、積層気泡シートの材料として例えばポリエチレンを用いた場合、その積層気泡シートは透明となり、この積層気泡シートにより形成された収納袋も透明となる。そうすると、この収納袋に収納された収納物が外部から容易に視認できてしまうため、重要な情報が漏洩したり、あるいは、秘密の状態が確保できなくなったりする。
そこで、外部からの収納物の視認を困難とした隠蔽性に優れた収納袋の提供が望まれていた。
【０００８】
さらに、家庭などで収納袋を使用する場合に、その収納袋の表面に自由に筆記できれば、様々な状況下で当該収納袋を有効に活用できる。
例えば、半透明又は不透明の収納袋の表面に収納物の名称を記載しておくことで、収納袋を開けることなく、その表面に記載した名称を見ただけで、収納物を容易に特定できる。
また、例えば、毎日服用する薬のように、同一物が多数個ある場合において、それらを複数の収納袋に小分けしておき、各収納袋の表面に使用（服用）する日付けを記載しておくことで、その日に使用（服用）すべき分を迷うことなく選ぶことができる。
このように、収納袋の表面に自由に筆記可能とすることで、使い勝手の良い収納袋を提供できる。
【０００９】
また、収納袋は、破損等により収納機能が低下又は消滅すると、この収納袋を廃棄することになる。
ここで、近年においては、家庭や企業から出るゴミを焼却するに際して有害な物質が排出されないように、有害物質を含まない材料を用いて製品を製造することが求められている。
この希求は、上記の収納袋に対しても同様であり、焼却しても有害物質が出ない材料で収納袋を形成するのが望ましい。
【００１０】
本発明は、上記の事情にかんがみなされたものであり、収納物の表面にキャップフィルムの押圧した痕跡が残存しないようにするとともに、外部からの収納物の視認が困難となるように隠蔽性を向上し、かつ、使用者による自由な筆記を可能とし、しかも、焼却しても有害物質が出ない材料で形成された紙材付き積層気泡シート及び収納袋の提供を目的とする。
【課題を解決するための手段】
【００１１】
この目的を達成するため、本発明の紙材付き積層気泡シートは、中空状に膨出する多数の気泡を有したシート本体と、このシート本体の片面又は両面に積層された鉱物粉末含有紙とを備え、この鉱物粉末含有紙が、鉱物の粉末を主成分とし、合成樹脂を含有して形成された紙である構成としてある。
【００１２】
また、本発明の収納袋は、袋状に形成された収納袋であって、収納袋が、上記の紙材付き積層気泡シートを用いて形成された構成としてある。
【発明の効果】
【００１３】
本発明の紙材付き積層気泡シート及び収納袋によれば、鉱物粉末含有紙が積層された紙材付き積層気泡シートを用いて収納袋を形成し、この収納袋の内面にその鉱物粉末含有紙を位置させることで、収納物の表面にキャップフィルムが直接接触しなくなることから、収納物の表面にキャップの押圧した痕跡が残存しないようにすることができる。
また、鉱物粉末含有紙が半透明又は不透明であることから、収納袋の外部から収納物を視認することが困難となる。よって、隠蔽性に優れた収納袋を提供できる。
【００１４】
さらに、紙材付き積層気泡シートにおいて鉱物粉末含有紙が積層された面に対しては、使用者による自由な筆記が可能となる。よって、様々な状況下で有効に活用できる、使い勝手の良い紙材付き積層気泡シート及び収納袋を提供できる。
しかも、鉱物粉末含有紙は、焼却しても有害物質が出ないことから、可燃ゴミとして安心して廃棄することができる。
【図面の簡単な説明】
【００１５】
【図１】本発明の紙材付き積層気泡シートの一実施形態に係る概略構成を示す斜視図である。
【図２】図１に示した紙材付き積層気泡シートの外観構成を示す斜視図である。
【図３】本発明の紙材付き積層気泡シートの他の一実施形態に係る概略構成を示す斜視図である。
【図４】本発明の紙材付き積層気泡シートのさらに他の一実施形態に係る概略構成を示す斜視図である。
【図５】本発明の紙材付き積層気泡シートの別の一実施形態に係る概略構成を示す斜視図である。
【図６】図５に示した紙材付き積層気泡シートの外観構成を示す斜視図である。
【図７】本発明の紙材付き積層気泡シートのさらに別の一実施形態に係る概略構成を示す斜視図である。
【図８】本発明の紙材付き積層気泡シートのさらに別の一実施形態に係る概略構成を示す斜視図である。
【図９】図５に示した紙材付き積層気泡シートの表面に接着層を積層した構成を示す斜視図である。
【図１０】本発明の収納袋の一実施形態に係る概略構成を示す説明図であり、（ａ）は収納袋の正面図、（ｂ）は同じく収納袋の背面図である。
【図１１】本発明の収納袋の断面図（図１０のＡ−Ａ断面図）である。
【図１２】本発明の収納袋の他の一実施形態に係る概略構成を示す説明図であり、（ａ）は収納袋の正面図、（ｂ）は同じく収納袋の背面図である。
【図１３】本発明の収納袋の断面図（図１２のＢ−Ｂ断面図）である。
【図１４】本発明の一実施形態に係る紙材付き積層気泡シートの製造装置の一例を模式的に示す説明図である。
【図１５】本発明の他の一実施形態に係る紙材付き積層気泡シートの製造装置の一例を模式的に示す説明図である。
【図１６】本発明の一実施形態に係る収納袋の製袋工程の一例を模式的に示す説明図である。
【図１７】本発明の一実施形態に係る収納袋の他の製袋工程の一例を模式的に示す説明図である。
【発明を実施するための形態】
【００１６】
以下、本発明に係る紙材付き積層気泡シート及び収納袋の好ましい実施形態について、図面を参照して説明する。
【００１７】
［紙材付き積層気泡シートの構成］
図１〜図８は、本発明の一実施形態に係る紙材付き積層気泡シートの概略構成を示す斜視図である。
これら図１〜図８に示すように、本実施形態の紙材付き積層気泡シート１には、二層気泡シート２ａの一方の面に鉱物粉末含有紙３を積層した紙材付き積層気泡シート１ａ、１ｂと、二層気泡シート２ａの両面に鉱物粉末含有紙３を積層した紙材付き積層気泡シート１ｃと、三層気泡シート２ｂの一方の面に鉱物粉末含有紙３を積層した紙材付き積層気泡シート１ｄ、１ｅと、三層気泡シート２ｂの両面に鉱物粉末含有紙３を積層した紙材付き積層気泡シート１ｆがある。
【００１８】
ここで、紙材付き積層気泡シート１ａは、図１、図２に示すように、中空状に膨出する多数のキャップ２１１が形成されたキャップフィルム２１と、このキャップフィルム２１のキャップ開口側に積層されたバックフィルム２２とを有する二層気泡シート２ａと、バックフィルム２２の表面に積層された鉱物粉末含有紙３とを備えた三層構造の積層シートとして形成されている。
【００１９】
紙材付き積層気泡シート１ｂは、図３に示すように、二層気泡シート２ａのキャップフィルム２１のキャップ膨出側に鉱物粉末含有紙３を積層した三層構造の積層シートとして形成されている。
紙材付き積層気泡シート１ｃは、図４に示すように、二層気泡シート２ａの両面、すなわち、バックフィルム２２の表面とキャップフィルム２１のキャップ膨出側の両方に鉱物粉末含有紙３を積層した四層構造の積層シートとして形成されている。
【００２０】
紙材付き積層気泡シート１ｄは、図５、図６に示すように、キャップフィルム２１と、このキャップフィルム２１のキャップ開口側に積層されたバックフィルム２２と、キャップフィルム２１のキャップ膨出側に積層されたライナーフィルム２３とを有する三層気泡シート２ｂと、ライナーフィルム２３の表面に積層された鉱物粉末含有紙３とを備えた四層構造の積層シートとして形成されている。
【００２１】
紙材付き積層気泡シート１ｅは、図７に示すように、三層気泡シート２ｂのバックフィルム２２の表面に鉱物粉末含有紙３を積層した四層構造の積層シートとして形成されている。
紙材付き積層気泡シート１ｆは、図８に示すように、三層気泡シート２ｂの両面、すなわち、ライナーフィルム２３の表面とバックフィルム２２の表面の両方に鉱物粉末含有紙３を積層した五層構造の積層シートとして形成されている。
【００２２】
すなわち、紙材付き積層気泡シート１ａ〜１ｆは、二層気泡シート２ａ又は三層気泡シート２ｂからなる積層気泡シート２（シート本体）の片面又は両面に鉱物粉末含有紙３を積層した構造となっており、積層気泡シート２の有する柔軟性や保温性と、鉱物粉末含有紙３の有する半透明性又は不透明性等を活かして、例えば、商品の包装材や収納袋１０などとして使用することができる。なお、収納袋１０については、後記の「収納袋」にて詳述する。
【００２３】
また、紙材付き積層気泡シート１ａ〜１ｆを構成する鉱物粉末含有紙３が半透明又は不透明であることから、この紙材付き積層気泡シート１ａ〜１ｆを例えば包装紙として使用した場合に、包装された物品を外部から視認困難とすることができる。よって、隠蔽性に優れた包装紙を提供できる。
さらに、鉱物粉末含有紙３が積層された面に対しては、使用者による自由な筆記や印刷が可能となる。このため、例えば、鉱物粉末含有紙３に対して所望のデザインで印刷を施すことにより、意匠性に優れた紙材付き積層気泡シート１ａ〜１ｆを提供できる。
しかも、鉱物粉末含有紙３は、焼却しても有害物質が出ないことから、紙材付き積層気泡シート１ａ〜１ｆを廃棄する場合は、可燃ゴミとして安心して廃棄することができる。
【００２４】
（接着層）
紙材付き積層気泡シート１ａ〜１ｆの表面には、接着層４を積層することができる。
接着層４は、紙材付き積層気泡シート１ａ〜１ｆを所望の物体に貼付するために形成された接着性能を有する層である。つまり、この接着層４を媒介として、紙材付き積層気泡シート１ａ〜１ｆを他の物体に接着することができる。
この接着層４は、紙材付き積層気泡シート１ａ〜１ｆの一方又は両方の面に形成することができる。例えば、紙材付き積層気泡シート１ｂのように、二層気泡シート２ａの一方の面にのみ鉱物粉末含有紙３が積層されている場合、鉱物粉末含有紙３が積層されていない二層気泡シート２ａの他方の面、又は、鉱物粉末含有紙３の表面に、接着層４を積層することができる。
なお、図９に示す紙材付き積層気泡シート１ｄにおいては、三層気泡シート２ｂにおけるバックフィルム２２の表面に接着層４が設けられている。
【００２５】
接着層４は、例えば、再活性接着剤を用いて形成することができる。
再活性接着剤とは、水を溶媒とする水系接着剤のうち、水分蒸発と再湿によって硬化と溶融とを可逆的に起こす接着剤をいう。この再活性接着剤を接着層４として鉱物粉末含有紙３の表面に塗布しておき、必要なときに水を付けて濡らすことにより、液化して接着機能を発揮させることができる。この再活性接着剤は、例えば、切手の裏面などに使用されている。
【００２６】
また、接着層４は、例えば、粘着剤を用いて形成することができる。
粘着剤は、通常状態で粘着性を有した接着剤であって、その粘着性により接触した物体同士を接着する機能を有している。この粘着剤は、例えば、付箋やシールの裏面、セロハンテープの接着面などに使用されている。
【００２７】
なお、接着層４を形成する材料として、粘着剤のように通常状態で粘着性の高い材料を用いた場合は、その接着層４の表面に剥離層（図示せず）を設けることが望ましい。剥離層は、紙などの基材の表面に剥離加工を施した部材（いわゆる剥離紙など）である。この剥離層を積層することにより、接着層４を保護するとともに、紙材付き積層気泡シート１ａ〜１ｆが所望の箇所以外の箇所に誤って接着されるといった事態を回避できる。
また、接着層４を形成する材料の具体例として、ここでは再活性接着剤や粘着剤を挙げたが、その接着層４を形成する材料は、再活性接着剤や粘着剤に限るものではなく、接着機能を有した従来公知の任意好適な材料を用いることができる。
【００２８】
［紙材付き積層気泡シートの材料］
次に、紙材付き積層気泡シート１ａ〜１ｆの材料について説明する。
紙材付き積層気泡シート１ａ〜１ｆは、前述したように、積層気泡シート２と鉱物粉末含有紙３とを積層した構成となっている。
ここで、積層気泡シート２の材料としては、ポリエチレン（ＰＥ）やポリプロピレン（ＰＰ）を含むポリオレフィンを用いることができる。
また、ポリエチレンフィルムを用いて積層気泡シート２を形成する場合、その積層気泡シート２を構成するポリエチレンフィルムの材料となるポリエチレン系樹脂としては、高密度ポリエチレン（ＨＤＰＥ）、低密度ポリエチレン（ＬＤＰＥ）、直鎖状低密度ポリエチレン（ＬＬＤＰＥ）、直鎖状超低密度ポリエチレン（ＬＶＬＤＰＥ）、エチレン−酢酸ビニル重合体などが例示できる。また、これらの材料を任意に混合して用いてもよい。
さらに、ポリエチレンフィルムの材料となる樹脂組成物には、紙材付き積層気泡シート１ａ〜１ｆの用途に応じて、非ハロゲン系の高級脂肪酸、高級脂肪族アミド、金属せっけん、グリセリンエステル等の滑剤等のアンチブロッキング剤、フェノール系、りん系、ＢＨＴ等の酸化防止剤、ベンゾフェノン、ベンゾトリアゾール、ＨＡＬＳ等の紫外線吸収剤、タルク、珪藻土、マイカ等の無機・有機充填剤、帯電防止剤、界面活性剤などを添加することができる。
【００２９】
鉱物粉末含有紙３は、天然石から抽出された炭酸カルシウムなどの無機鉱物粉末（すなわち、鉱物である天然石灰石の粉末）を、その無機鉱物粉末よりも少量の合成樹脂であって毒性がないもの（例えば、高密度ポリエチレン（ＨＤＰＥ）樹脂など）を介して、フィルム状に形成したものである。
ここで、鉱物粉末含有紙３の組成比率は、例えば、無機鉱物粉末が８０〜５０％程度、合成樹脂成分が１８〜４８％程度、添加剤が２％程度とすることができる。また、好ましくは、無機鉱物粉末が８０％前後、合成樹脂成分が１８％前後、添加剤が２％程度とすることができる。さらに、無機鉱物粉末が５８％程度、合成樹脂成分が４０％程度、添加剤が２％程度とすることもできる。
【００３０】
また、鉱物粉末含有紙３の片面又は両面には、コーティング処理によりインク吸着層を積層形成することができる。インク吸着層には、インクの吸収性や顔料の付着性を向上可能な材料が使用される。
インク吸着層がコーティングされることにより、この面においてインクの乗り及び乾燥性が良好となるので、例えば、水ありオフセット印刷、水なしオフセット印刷、ＵＶオフセット印刷などの各種印刷手法による印刷が可能となる。また、水性インク、黒鉛、その他の顔料を付着させて筆記する筆記具を用いて、直接書き込みを行うこともできる。
【００３１】
このように、鉱物粉末含有紙３は、無機鉱物粉末成分の含有量が最も多くなっており、合成樹脂成分の含有量は、無機鉱物粉末成分の含有量よりも少量となっている。特に、合成樹脂成分の含有量を多くすることで、剛性を高めることができるので、折り曲げに対しても容易に破損することがなく強靭である。
なお、鉱物粉末含有紙３として、例えば、ストーンペーパーなどを用いることができる。
【００３２】
以上説明した紙材付き積層気泡シート１ａ〜１ｆは、シートの形態で使用することができるが、この紙材付き積層気泡シート１ａ〜１ｆを例えば袋状や封筒状に形成した収納袋１０として使用することもできる。
次に、その収納袋１０の構成について、図１０〜図１３を参照して説明する。
【００３３】
［収納袋］
これら図１０〜図１３に示すように、本実施形態の収納袋１０は、袋全体が紙材付き積層気泡シート１ａ〜１ｆを用いて袋状に加工されるものである。
なお、図１０（ａ）、（ｂ）、図１１は、紙材付き積層気泡シート１ｂを用いて形成された収納袋１０を示している。また、図１２（ａ）、（ｂ）、図１３は、紙材付き積層気泡シート１ｃを用いて形成された収納袋１０を示している。これら紙材付き積層気泡シート１ｂ、１ｃ以外の紙材付き積層気泡シート１ａ、１ｄ〜１ｆについても、それら紙材付き積層気泡シート１ｂ、１ｃと同様に、収納袋１０として形成することができる。
【００３４】
収納袋１０の袋本体１１は、全体が紙材付き積層気泡シート１ａ〜１ｆにより形成されて収納袋１０の本体を構成している。
具体的には、袋本体１１は、紙材付き積層気泡シート１ａ〜１ｆが、内部に所定の収納物を収納可能な収納空間１１ａを有する袋状・封筒状等に形成され、袋の一側（図面上側）に開口１１ｂが形成されるようになっている。
開口１１ｂは、袋本体１１の収納空間１１ａと袋本体１１の外部とを連通しており、この開口１１ｂを介して、収納空間１１ａに対し所定の収納物を出し入れすることができる。
【００３５】
収納袋１０を構成する紙材付き積層気泡シート１ａ〜１ｆは、表面に半透明又は不透明の鉱物粉末含有紙３が積層されている。このため、この収納袋１０に収納された収納物を、外部から視認することが困難となっている。よって、収納物に関する情報の漏洩を防止でき、隠蔽性に優れた収納袋１０を提供できる。
また、紙材付き積層気泡シート１ａ〜１ｆに積層された鉱物粉末含有紙３が内側面に位置するように当該紙材付き積層気泡シート１ａ〜１ｆを用いて収納袋１０を形成することにより（図１１、図１３参照）、この収納袋１０に収納された収納物の表面にキャップフィルム２１が直接接触しないため、このキャップフィルム２１のキャップ２１１が押圧された痕跡が収納物の表面に残存するのを回避できる。
【００３６】
さらに、紙材付き積層気泡シート１ａ〜１ｆに積層された鉱物粉末含有紙３が外側面に位置するように、当該紙材付き積層気泡シート１ａ〜１ｆを用いて収納袋１０を形成することにより（図１３参照）、この収納袋１０の表面において、使用者による自由な筆記や印刷が可能となる。このため、例えば、収納袋１０の表面に対して所望のデザインで印刷を施すことにより、意匠性に優れた収納袋１０を提供できる。
しかも、収納袋１０の表面に対して自由な筆記が可能であるため、例えば、収納物の名称をその表面に記載するなどして、収納袋１０の実用性や有用性を高めることができ、使い勝手の良い収納袋１０として使用できる。
また、鉱物粉末含有紙３は、焼却しても有害物質が出ないことから、収納袋１０を廃棄する場合は、可燃ゴミとして安心して廃棄することができる。
【００３７】
なお、図１０（ａ）、（ｂ）、図１１は、紙材付き積層気泡シート１ｂを用いて形成された収納袋１０であって、内側面にのみ鉱物粉末含有紙３が積層された収納袋１０を示しているが、例えば、紙材付き積層気泡シート１ｂを用いることで、外側面にのみ鉱物粉末含有紙３が積層された収納袋１０を形成することもできる。これに倣い、紙材付き積層気泡シート１ａ、１ｄ、１ｅを用いて、外側面又は内側面の一方にのみ鉱物粉末含有紙３が積層された収納袋１０を形成することもできる。
また、図１２（ａ）、（ｂ）、図１３は、紙材付き積層気泡シート１ｃを用いて形成された収納袋１０であって、外側面と内側面の両面に鉱物粉末含有紙３が積層された収納袋１０を示しているが、例えば、紙材付き積層気泡シート１ｆを用いることで、外側面と内側面の両面に鉱物粉末含有紙３が積層された収納袋１０を形成することもできる。
さらに、図１０〜図１３においては、収納袋１０が平型封筒状に形成されているが、この形状に限るものではなく、例えば、マチ付きの角底封筒状に形成したものであってもよい。
【００３８】
［紙材付き積層気泡シートの製造方法］
次に、本実施形態に係る紙材付き積層気泡シート１ａ〜１ｆの製造方法について、図１４を参照して説明する。
同図は、紙材付き積層気泡シート１ａ〜１ｆの製造装置の一例である、紙材付き積層気泡シート１ｄの製造装置５０ａの構成を示す説明図である。
【００３９】
ここで、製造装置５０ａにより製造される紙材付き積層気泡シート１ｄは、図５に示すように、三層気泡シート２ｂに鉱物粉末含有紙３を積層したものである。
この紙材付き積層気泡シート１ｄにおける三層気泡シート２ｂの各層の材料の一例を挙げると、例えば、下記のものを用いることができるが、これに限定されない。
キャップフィルム２１：約３０％のＨＤＰＥ、残りはＬＤＰＥ及び／又はＬＬＤＰＥ
バックフィルム２２：約３０％のＨＤＰＥ、残りはＬＤＰＥ及び／又はＬＬＤＰＥ
ライナーフィルム２３：ＬＤＰＥ及び／又はＬＬＤＰＥ
【００４０】
製造装置５０ａは、三つのフラットダイ５１〜５３と、鉱物粉末含有紙３の原反５４と、成形ロール５５と、五つの押圧ロール５６〜６０を備えている。
三つのフラットダイ５１〜５３は、それぞれ前述した樹脂材料を所定の厚みで押し出すことによって、フラット状のキャップフィルム２１、バックフィルム２２、及びライナーフィルム２３が連続的に供給される。
原反５４は、鉱物粉末含有紙３を連続的に供給する。
【００４１】
キャップフィルム用のフラットダイ５１から供給されたフラット状のキャップフィルム２１は、成形ロール５５に供給される。
成形ロール５５には、外周面に多数のキャビティ孔５５１が設けられている。
各キャビティ孔５５１は、図示しない真空ポンプにつながっており、キャビティ孔５５１を真空吸引することにより、キャップフィルム２１に中空状に膨出する多数のキャップ２１１が形成される。
【００４２】
キャップ２１１が形成されたキャップフィルム２１は、成形ロール５５と押圧ロール５６との間で、バックフィルム用のフラットダイ５２から供給されるバックフィルム２２と積層され、熱融着により一体化される。
次いで、押圧ロール５７と押圧ロール５８との間で、ライナーフィルム用のフラットダイ５３から供給されるライナーフィルム２３が、キャップフィルム２１のキャップ膨出側に積層され、熱融着により一体化される。
続いて、押圧ロール５９と押圧ロール６０との間で、原反５４から供給される鉱物粉末含有紙３が、ライナーフィルム２３の表面に、接着剤等を介して接着される。
これにより、積層気泡シート１ｄが得られる。
なお、ライナーフィルム２３の表面に対して鉱物粉末含有紙３を接着剤により接着する場合、その接着剤は、鉱物粉末含有紙３又はライナーフィルム２３の表面の一方又は双方に塗布される。
【００４３】
また、図１４に示す製造装置５０ａは、図５に示す構造を有した紙材付き積層気泡シート１ｄを製造する装置であるが、例えば、図１に示す構造を有した紙材付き積層気泡シート１ａは、図１５に示した製造装置５０ｂにより製造することができる。この製造装置５０ｂの構成は、製造装置５０ａの各構成を、紙材付き積層気泡シート１ａの製造装置５０ｂとして組み換えたものであり、これら製造装置２０ｂの各構成の機能や動作は、基本的に製造装置５０ａの各構成の機能や動作と同じであるため、ここでの説明は、省略する。
また、図３、図４、図７、図８に示した紙材付き積層気泡シート１ｂ、１ｃ、１ｅ、１ｆは、製造装置５０ａ、５０ｂの構成と基本的に同様の構成を備えた製造装置を用いて製造することができる。
【００４４】
［収納袋の製造方法］
次に、本実施形態に係る収納袋１０の製造方法について、図１６を参照して説明する。
図１６は、本実施形態に係る収納袋１０の製袋工程の一例を示す説明図である。
収納袋１０は、次の手順で製造される。
同図に示すように、原反状態の紙材付き積層気泡シート１（１ａ〜１ｆ）が二つ折りにされ、収納袋１０の両側部となる部分がシールバー７０によりヒートシールされる。このヒートシール部分が切断されることにより製袋されて収納袋１０が完成する。
【００４５】
また、収納袋１０は、図１７（ａ）〜（ｃ）に示すように、同一矩形状の二枚の紙材付き積層気泡シート１を重ね合わせ、三辺をヒートシールすることによっても形成することができる。
この収納袋１０においては、ヒートシールされていない端部が開口１１ｂとなる（同図（ｃ））。
【００４６】
以上説明したように、本実施形態の紙材付き積層気泡シート及び収納袋によれば、鉱物粉末含有紙が積層された紙材付き積層気泡シートを用いて収納袋を形成し、この収納袋の内面にその鉱物粉末含有紙を位置させることで、収納物の表面にキャップフィルムが直接接触しなくなることから、収納物の表面にキャップの押圧した痕跡が残存しないようにすることができる。
また、鉱物粉末含有紙が半透明又は不透明であることから、収納袋の外部から収納物を視認することが困難となる。よって、隠蔽性に優れた収納袋を提供できる。
【００４７】
さらに、紙材付き積層気泡シートにおいて鉱物粉末含有紙が積層された面に対しては、使用者による自由な筆記が可能となる。よって、様々な状況下で有効に活用できる、使い勝手の良い紙材付き積層気泡シート及び収納袋を提供できる。
しかも、鉱物粉末含有紙は、焼却しても有害物質が出ないことから、可燃ゴミとして安心して廃棄することができる。
【００４８】
以上、本発明の紙材付き積層気泡シート及び収納袋の好ましい実施形態について説明したが、本発明に係る紙材付き積層気泡シート及び収納袋は上述した実施形態にのみ限定されるものではなく、本発明の範囲で種々の変更実施が可能であることは言うまでもない。
例えば、上述した実施形態においては、紙材付き積層気泡シートの積層気泡シートが透明であることを想定しているが、透明に限るものではなく、半透明や不透明であってもよい。このことは、収納袋を構成する紙材付き積層気泡シートにおいても同様である。
【産業上の利用可能性】
【００４９】
本発明は、積層気泡シートを用いて形成される収納袋に適用され、特に、緩衝封筒のように所望の物品の収納・配送等に用いられる収納袋に好適であるが、緩衝封筒以外の収納袋にも広く用いることができる。
【符号の説明】
【００５０】
１（１ａ〜１ｆ）  紙材付き積層気泡シート
２  積層気泡シート（シート本体）
２ａ  二層気泡シート
２ｂ  三層気泡シート
２１  キャップフィルム
２１１  キャップ（気泡）
２２  バックフィルム
２３  ライナーフィルム
３  鉱物粉末含有紙
１０  収納袋
【図１】
2014073633.tif 000003
【図２】
2014073633.tif 000004
【図３】
2014073633.tif 000005
【図４】
2014073633.tif 000006
【図５】
2014073633.tif 000007
【図６】
2014073633.tif 000008
【図７】
2014073633.tif 000009
【図８】
2014073633.tif 000010
【図９】
2014073633.tif 000011
【図１０】
2014073633.tif 000012
【図１１】
2014073633.tif 000013
【図１２】
2014073633.tif 000014
【図１３】
2014073633.tif 000015
【図１４】
2014073633.tif 000016
【図１５】
2014073633.tif 000017
【図１６】
2014073633.tif 000018
【図１７】
2014073633.tif 000019